(57)【要約】【課題】ｅ−ｍａｉｌや情報やニュースなどのようなデジタルコンテンツのうち、ユーザーが必要とする情報を検索して音声情報に変換後、ユーザーの携帯用オーディオ機器に貯蔵する携帯用オーディオ機器のためのインターネット検索情報貯蔵システム及びその方法を提供する。【解決手段】有無線インターネット上で任意の情報を提供する一つ以上のサイトより、ユーザーによって設定された検索条件及び周期に従い情報探索ロボットエージェントを駆動して該当情報を検索しマイニングし、結果を検索条件に従い１次フィルターリングして、マイニングした情報から文字情報を抽出するサーバーエージェントと、抽出された文字情報を受信し、ユーザーによって設定された検索条件に従い２次フィルターリングし、検索条件に合う文字情報を音声情報に変換して携帯用オーディオ機器に転送貯蔵するクライアントエージェントとを含んで構成される。【選択図】　図１
2004070937.tif 000002
【特許請求の範囲】
【請求項１】
有無線インターネット上で任意の情報を提供する一つ以上のサイトより、ユーザーによって設定された検索条件及び周期に従い情報探索ロボットエージェントを駆動して該当情報を検索しマイニングし、マイニングした情報を検索条件に従い１次フィルターリングして、マイニングした情報から文字情報を抽出するサーバーエージェントと、
前記サーバーエージェントで抽出された文字情報を受信し、ユーザーによって設定された検索条件に従い２次フィルターリングし、検索条件に合う文字情報を音声情報に変換して携帯用オーディオ機器に転送貯蔵するクライアントエージェントと
を含んで構成されることを特徴とする携帯用オーディオ機器のためのインターネット検索情報貯蔵システム。
【請求項２】
前記サーバーエージェントにおける１次フィルターリングは、マイニングした情報の中でイメージ情報及び動画情報はフィルターリングして除去することを特徴とする請求項１に記載の携帯用オーディオ機器のためのインターネット検索情報貯蔵システム。
【請求項３】
前記クライアントジェントにおける２次フィルターリングは、マイニングした情報の中で既定の単語を含むファイルを削除することを特徴とする請求項１に記載の携帯用オーディオ機器のためのインターネット検索情報貯蔵システム。
【請求項４】
前記クライアントエージェントは、前記携帯用オーディオ機器が連結している場合、既定の携帯用オーディオ機器かを確認する認証手続きを行い、既定の携帯用オーディオ機器の場合だけに前記音声情報を貯蔵することを特徴とする請求項１に記載の携帯用オーディオ機器のためのインターネット検索情報貯蔵システム。
【請求項５】
前記クライアントエージェントは、前記携帯用オーディオ機器の内蔵チップの固有番号を確認して前記認証手続きを行うことを特徴とする請求項４に記載の携帯用オーディオ機器のためのインターネット検索情報貯蔵システム。
【請求項６】
前記クライアントエージェントは、認証コードを入力されて前記ユーザーが既定の認証コードと比較して前記認証手続きを行うことを特徴とする請求項４に記載の携帯用オーディオ機器のためのインターネット検索情報貯蔵システム。
【請求項７】
前記クライアントエージェントの要請に従い、前記ユーザーによって既定の条件の電子メールデータを検索し、その検索した電子メールデータを前記クライアントエージェントに転送する一つ以上の電子メールサーバーをさらに含むことを特徴とする請求項１に記載の携帯用オーディオ機器のためのインターネット検索情報貯蔵システム。
【請求項８】
有無線インターネット上で任意の情報を検索してマイニングするサーバーエージェントと、サーバーエージェントでマイニングした情報を携帯用オーディオ機器に貯蔵するクライアントエージェントとからなるシステムで検索された情報を貯蔵する方法において、
前記サーバーエージェントでユーザーが設定した検索条件及び周期に従い、前記インターネット上で該当情報を検索してマイニングして１次フィルターリングし、マイニングした情報から文字情報を抽出する段階と、
前記サーバーエージェントで抽出した文字情報を前記クライアントエージェントで受信し、ユーザーが既定の検索条件により２次フィルターリングし、前記検索条件に合う文字情報を音声情報に変換する段階と、
前記携帯用オーディオ機器が前記クライアントエージェントに電気的に連結している場合、前記音声情報を前記携帯用オーディオ機器に貯蔵する段階と
を含むことを特徴とする携帯用オーディオ機器のためのインターネット検索情報貯蔵方法。
【請求項９】
前記サーバーエージェントにおける１次フィルターリングは、マイニングした情報の中でイメージ情報及び動画情報はフィルターリングして除去することを特徴とする請求項８に記載の携帯用オーディオ機器のためのインターネット検索情報貯蔵方法。
【請求項１０】
前記クライアントジェントにおける２次フィルターリングは、マイニングした情報の中で既定の単語を含むファイルを削除することを特徴とする請求項８に記載の携帯用オーディオ機器のためのインターネット検索情報貯蔵方法。
【請求項１１】
前記クライアントエージェントは、前記携帯用オーディオ機器が連結している場合、既定の携帯用オーディオ機器かを確認する認証手続きを行い、既定の携帯用オーディオ機器の場合だけに前記音声情報を貯蔵する段階をさらに含むことを特徴とする請求項８に記載の携帯用オーディオ機器のためのインターネット検索情報貯蔵方法。
【請求項１２】
前記クライアントエージェントは、前記携帯用オーディオ機器の内蔵チップの固有番号を確認して前記認証手続きを行うことを特徴とする請求項１１に記載の携帯用オーディオ機器のためのインターネット検索情報貯蔵方法。
【請求項１３】
前記クライアントエージェントは、認証コードを入力されて前記ユーザーが既定の認証コードと比較して前記認証手続きを行うことを特徴とする請求項１１に記載の携帯用オーディオ機器のためのインターネット検索情報貯蔵方法。
【発明の詳細な説明】
【０００１】
【発明の属する技術分野】
本発明は、インターネット上で検索情報貯蔵システムに関し、より詳しくは、ユーザーが所望するデジタルコンテンツ（ｅ−ｍａｉｌ、ニュース、雑誌等）をインターネットで周期的に検索して携帯用オーディオ機器に自動貯蔵できる携帯用オーディオ機器のためのインターネット検索情報貯蔵システム及びその方法に関する。
【０００２】
【従来の技術】
一般に、コンピュータを利用してインターネットを行うネチズンらは、自身が検索したデータの中に関心ある情報は出力して紙形態で見たり、自身のコンピュータの特定ホルダーに貯蔵する。
【０００３】
また、電子メールサーバーを利用するネチズンらも自身に受信された電子メールの中で関心ある情報は、出力して紙形態で見たり、自身のコンピュータの特定ホルダーに貯蔵する。
【０００４】
【発明が解決しようとする課題】
しかしながら、現代の会社員らは多忙で関心深い情報の範囲が広いため、あらゆる情報を出力して見たり、特定ホルダーに貯蔵することも面倒な程度である。特に、よく運転する営業社員やよく出張に行く自営業者には、関心深いデジタル情報をじっくり読んだり、自身に転送された電子メールを時間を出して読むのが負担になるという問題点がある。
【０００５】
本発明は、前記問題点を解決するために案出されたもので、その目的は、ｅ−ｍａｉｌや情報やニュースなどのようなデジタルコンテンツのうち、ユーザーが必要とする情報を検索して音声情報に変換後、ユーザーの携帯用オーディオ機器に貯蔵する携帯用オーディオ機器のためのインターネット検索情報貯蔵システム及びその方法を提供することにある。
【０００６】
【課題を解決するための手段】
前記目的を達成するために、本発明の一側面によれば、有無線インターネット上で任意の情報を提供する一つ以上のサイトより、ユーザーによって設定された検索条件及び周期に従い情報探索ロボットエージェントを駆動して該当情報を検索しマイニングし、マイニングした情報を検索条件に従い１次フィルターリングして、マイニングした情報から文字情報を抽出するサーバーエージェントと、サーバーエージェントで抽出された文字情報を受信し、ユーザーによって設定された検索条件に従い２次フィルターリングし、検索条件に合う文字情報を音声情報に変換して携帯用オーディオ機器に転送貯蔵するクライアントエージェントとを含んで構成される携帯用オーディオ機器のためのインターネット検索情報貯蔵システムを提供する。
【０００７】
また、本発明の他の側面によれば、有無線インターネット上で任意の情報を検索してマイニングするサーバーエージェントと、サーバーエージェントでマイニングした情報を携帯用オーディオ機器に貯蔵するクライアントエージェントとからなるシステムで検索された情報を貯蔵する方法において、サーバーエージェントでユーザーが設定した検索条件及び周期に従い、インターネット上で該当情報を検索してマイニングして１次フィルターリングし、マイニングした情報から文字情報を抽出する段階と、サーバーエージェントで抽出した文字情報をクライアントエージェントで受信し、ユーザーが既定の検索条件により２次フィルターリングし、検索条件に合う文字情報を音声情報に変換する段階と、携帯用オーディオ機器がクライアントエージェントに電気的に連結している場合、音声情報を携帯用オーディオ機器に貯蔵する段階とを含む携帯用オーディオ機器のためのインターネット検索情報貯蔵方法を提供する。
【０００８】
こうした本発明の特徴によれば、ユーザーが所望するｅ−ｍａｉｌや情報やニュースなどのようなデジタルコンテンツなどを、仕事をしない時間の間に貯蔵するようにして特定時間に音声情報で確認できる。したがって、ユーザーが寝ている間に所望のデジタル情報を検索し、ＭＰ３プレーヤーに貯蔵するようにして、ユーザーが出社時に自動車のなかで集まった資料を音声データで便利に確認できるという長所がある。
【０００９】
【発明の実施の形態】
以下、添付図面を参照して本発明によるインターネット上で検索情報貯蔵システムの構成及び動作を詳細に説明する。
【００１０】
図１は、本発明による携帯用オーディオ機器のためのインターネット検索情報貯蔵システムの構成ブロック図である。図１を参照すれば、有無線インターネット５０上で情報を提供する一つ以上のサイト（ＩＰ：Ｉｎｆｏｒｍａｔｉｏｎ　Ｐｒｏｖｉｄｅｒ）４０ａ〜４０ｃと、ユーザーが設定した検索条件及び周期に従いサイト４０ａ〜４０ｃでデータを検索して転送するサーバーエージェント２０と、サーバーエージェント２０で検索されたデータを貯蔵及び管理するデータ貯蔵部３０と、サーバーエージェント２０で転送されたデータを受信して既定の検索条件に合うかを判断し、検索条件に合うデータだけを音声データに変換するクライアントエージェント１０と、クライアントエージェント１０で変換された音声データを貯蔵するための携帯用オーディオ機器７０と、クライアントエージェント１０の要請に従いユーザーが既定の条件のデータを検索して転送する一つ以上の電子メールサーバー６０とで構成される。
【００１１】
ここで、携帯用オーディオ機器はＭＰ３プレーヤーとこれと類似した種類のオーディオ機器が望ましい。
【００１２】
サーバーエージェント２０は、情報探索ロボットエージェントを搭載し、その搭載された情報探索ロボットエージェントを駆動してインターネット上の多様なサイト４０ａ〜４０ｃから多様な情報を検索し、必要なデータをマイニングする。データの検索及びマイニングの時には、ユーザーによって既定の検索条件を使用し、ユーザーが設定した周期に従い検索及びマイニングを行う。マイニングされたデータに対しては、ユーザーが設定した検索条件に従い１次フィルターリングして不要なデータに対しては削除する。
【００１３】
クライアントエージェント１０は、サーバーエージェント２０により抽出された文字データを受信し、ユーザーにより設定された検索条件に従い２次フィルターリングして、検索条件に合う文字データだけを音声データに変換する。
【００１４】
クライアントエージェント１０は、携帯用オーディオ機器７０が電気的に連結している場合、連結している携帯用オーディオ機器７０が既定の携帯用オーディオ機器かを確認する認証手続きを行い、既定の携帯用オーディオ機器の場合だけに変換された音声データを携帯用オーディオ機器７０に貯蔵させる。
【００１５】
このような認証手続きは、クライアントエージェント１０が携帯用オーディオ機器７０の中に内蔵されたチップの固有番号を確認する方式や、ユーザーがシステムに既定の認証コード（ユーザー名、パスワード）を再入力し、既定の認証コードと再入力した認証コードとの比較によって認証手続きを行う方法や、公知の方法を使用しても関係ない。したがって、本システムは、既定の携帯用オーディオ機器７０だけに所望のデータの音声情報を貯蔵できる。
【００１６】
データ貯蔵部３０は、サーバーエージェント２０で検索されたデータの中にユーザーの選択によって必要なデータを貯蔵及び管理するデータハウスである。このデータ貯蔵部３０に貯蔵されるデータには、例えばニュースやｅ−ｂｏｏｋ等の各種デジタルコンテンツが含まれる。
【００１７】
図では、データ貯蔵部３０をサーバーエージェント２０と別に区別して構成した例を示したが、サーバーエージェント２０内にこのようなデータ貯蔵部３０を具現することもできる。
【００１８】
図２は、図１のクライアントエージェント１０の階層構造を示した構成ブロック図である。図２を参照すれば、クライアントエージェント１０は、グラフィックインターフェーシングとデータエージェントスケジュールリングを制御するためのプレゼンテーション（Ｐｒｅｓｅｎｔａｔｉｏｎ）層１１と、プレゼンテーション層１１の下位階層として、既定のカテゴリによるコンテンツを制御し、コンテンツのフィルターリングを制御するコンテンツ運営層１２と、プレゼンテーション層１１の下位階層として、コンテンツをオーディオデータにコーディングし、コンテンツを識別するためのオーディオ変換層１３と、コンテンツ運営層１２の下位階層として、プロトコル及びデータ貯蔵部の動作を制御するためのコンテンツ制御層１６と、コンテンツ運営層１２の下位階層として、周辺装置を制御し、物理データを制御するための装置制御層１７とで構成される。
【００１９】
このような構成を持つ本発明のインターネット上で検索情報貯蔵システムの動作を説明すれば、次の通りである。
【００２０】
まず、ユーザーは、図３に示したように、クライアントエージェント１０にデータをマイニングするための周期と、検索を必要とする情報の類型（ｃａｔｅｇｏｒｉｅｓ）と、電子メール（ｅ−ｍａｉｌ）を持ってくるサーバーと、貯蔵するメモリの最大サイズとを各々設定する（Ｓ３１〜Ｓ３４）。
【００２１】
したがって、クライアントエージェント１０が電子メール（ｅ−ｍａｉｌ）を持ってくるサーバーが図３に示したＰＯＰ３サーバー８０の場合、ＰＯＰ３サーバー８０にデータの照会を要請すれば、ＰＯＰ３サーバー８０が既定の貯蔵されたデータを検索してクライアントエージェント１０に該当情報を転送する（Ｓ３５〜Ｓ３６）。
【００２２】
また、クライアントエージェント１０は、サーバーエージェントで所望のデータを持ってくる場合、ＰＯＰ３サーバー８０と通信した同じ方式にて照会を要請して該当情報を受信する（Ｓ３７〜Ｓ３８）。
【００２３】
このような方式にて所望のデータを受信したクライアントエージェント１０は、受信したデータを目標とするメモリに貯蔵する（Ｓ３９）。
【００２４】
続き、図４を参照してクライアントエージェント１０とサーバーエージェント２０との間の動作をより詳細に説明する。図４を参照すれば、ユーザーが図３に示したように、クライアントエージェント１０にデータをマイニングするための周期と、検索を必要とする情報の類型と、電子メールを持ってくるサーバーと、貯蔵するメモリの最大サイズとを各々設定した状態で、クライアントエージェント１０は、サーバーエージェント２０にカタログを要請すれば、サーバーエージェント２０は、データ貯蔵部３０に既定のサイトの目録とこれに対するカテゴリを要請する（Ｓ４１、Ｓ４２）。
【００２５】
すると、データ貯蔵部３０は、既に貯蔵されたサイトの目録とこれに対するカテゴリとをサーバーエージェント２０に転送し、サーバーエージェント２０は受信したサイトの目録とこれに対するカテゴリとを含むカタログをクライアントエージェント１０に転送する（Ｓ４３、Ｓ４４）。
【００２６】
続いて、クライアントエージェント１０は、既定のカテゴリによるコンテンツをサーバーエージェント２０に要請し、サーバーエージェント２０は既定のサイト４０ａ〜４０ｃにデータを検索して持ってくることを要請する（Ｓ４５、Ｓ４６）。
【００２７】
各サイト４０ａ〜４０ｃは、サーバーエージェント２０が要請したコンテンツをサーバーエージェント２０に各々転送する（Ｓ４７）。
【００２８】
サーバーエージェント２０は、受信したデータを１次フィルターリングして文字データを抽出する（Ｓ４８）。例えば、サーバーエージェント２０によりマイニングされるデータには多様なデータが含まれる。例えば、イメージデータ、動画データ、音楽データ、音声データ、文字データが含まれる。もし、検索条件が文字データだけを抽出するものであれば、残りのデータをフィルターリングして除去する。
【００２９】
一方、文字データと共に音楽データまたは音声で提供されるニュースプログラムの場合のような音声データも必要な場合であれば、音楽データまたは音声データの場合は通過するようにフィルターリングできる。
【００３０】
続き、サーバーエージェント２０は、１次フィルターリングしたデータの転送前、クライアントエージェント１０がデータを效率よく受信できるように、転送するデータをクライアントエージェント１０が使用するプロトコルに合うように変換させる（Ｓ４９）。
【００３１】
このような変換動作が完了した後、サーバーエージェント２０は、検索されたデータをクライアントエージェント１０に転送する（Ｓ５０）。
【００３２】
クライアントエージェント１０は、図４に示したように、サーバーエージェント２０から転送されたデータを受信し、既定のデータだけを受信するように２次フィルターリングする（Ｓ５１）。例えば、クライアントエージェント１０は受信されたデータのうち、“広告”や“成人”などのように既定の単語を含むファイルは削除させる。
【００３３】
続き、クライアントエージェント１０は、２次フィルターリングされたデータを既定の規定に合うようにファイル化させ（Ｓ５２）、音声データに変換させる（Ｓ５３）。このような音声データ変換技術は公知の技術を使用しても関係ない。
【００３４】
続き、クライアントエージェント１０は、変換された音声データを連結しているケーブルを通じて携帯用オーディオ機器７０のメモリに貯蔵させる（Ｓ５５）。
【００３５】
携帯用オーディオ機器７０のメモリは、音声データの貯蔵が完了した場合、これを知らせるための受信確認信号をクライアントエージェント１０に伝達する（Ｓ５６）。
【００３６】
続き、図５を参照して、本発明のクライアントエージェント１０と電子メールサーバー５０との動作を詳細に説明する。
【００３７】
クライアントエージェント１０は、ユーザーが図３に示したように、データをマイニングするための周期と、検索を必要とする情報の類型と、電子メールを持ってくるサーバーと、貯蔵するメモリの最大サイズとを各々設定した状態で、電子メールサーバー５０にカタログを要請すれば、電子メールサーバー５０は、題目及び送信者などを含んだカタログをクライアントエージェント１０に転送する（Ｓ６１、Ｓ６２）。
【００３８】
続いて、クライアントエージェント１０は、受信したカタログのうちで既定のコンテンツのリストだけをフィルターリングした後（Ｓ６３）、フィルターリングしたコンテンツを電子メールサーバー５０に要請する（Ｓ６４）。したがって、電子メールサーバー５０は、クライアントエージェント１０で要請したコンテンツを転送する（Ｓ６５）。
【００３９】
クライアントエージェント１０は、電子メールサーバー５０から転送されたデータを受信し、既定のデータだけを受信するようにフィルターリングする（Ｓ６６）。例えば、クライアントエージェント１０は受信されたデータのうち、“広告”や“成人”などのように既定の単語を含むファイルは削除させる。
【００４０】
続いて、クライアントエージェント１０は、フィルターリングされたデータを既定の規定に合うようにファイル化し（Ｓ６７）、音声データに変換する（Ｓ６８）。
【００４１】
続いて、クライアントエージェント１０は、変換された音声データを連結しているケーブルを通じて携帯用オーディオ機器７０のメモリに伝達及び貯蔵する（Ｓ６９、Ｓ７０）。
【００４２】
携帯用オーディオ機器７０のメモリは、音声データの貯蔵が完了した場合、これを知らせるための受信確認信号をクライアントエージェント１０に伝達する（Ｓ７１）。
【００４３】
ここで、電子メールサーバー５０は、個人の電子メールサーバーとして、大韓民国で商用化しているＹＡＨＯＯ、ＨＯＴＭＡＩＬ、ＤＡＵＭ等、ＰＯＰ３を支援しないシステムは除外される。
【００４４】
【発明の効果】
以上で説明したように、本発明によれば、ユーザーが所望するｅ−ｍａｉｌや情報やニュースなどのようなデジタルコンテンツなどを得るために特に時間を割愛する必要がない。なぜなら、ユーザーが携帯用オーディオ機器をクライアントエージェントと連結だけすれば、自身が関心あるデジタルコンテンツを検索及び貯蔵して音声情報を確認できるためである。
【００４５】
したがって、本発明によるインターネット上での検索情報貯蔵システムを利用すれば、ユーザーが寝ている間に所望のデジタル情報を検索し、ＭＰ３プレーヤーに貯蔵するようにして、出社時に自動車のなかで集まった資料を音声データで便利に確認できるため、時間がない忙しいサラリーマンや自営業者に非常に便利な機能を提供できる。
【図面の簡単な説明】
【図１】本発明による携帯用オーディオ機器のためのインターネット検索情報貯蔵システムの構成ブロック図である。
【図２】図１のクライアントエージェントの階層構造を示す構成ブロック図である。
【図３】図１のクライアントエージェントの動作を説明するための制御フローチャートである。
【図４】図１のサーバーエージェントの動作を説明するための制御フローチャートである。
【図５】図１の電子メールサーバーの動作を説明するための制御フローチャートである。
【符号の説明】
１０…クライアントエージェント
２０…サーバーエージェント
３０…データ貯蔵部
４０ａ〜４０ｃ…サイト
５０…インターネット
６０…電子メールサーバー
７０…携帯用オーディオ機器
【図１】
2004070937.tif 000003
【図２】
2004070937.tif 000004
【図３】
2004070937.tif 000005
【図４】
2004070937.tif 000006
【図５】
2004070937.tif 000007